(57)【特許請求の範囲】
【請求項１】
所定の形状に屈曲可能に可撓性又は弾性を持つ芯材と、
前記芯材の周囲に螺旋状に緊密に巻き付けられ、巻き付けられることで互いが接触する接触面間に髪の毛を挟んで保持するための弾性力を備えた外装部材とを有し、
前記芯材が、所定の形状に屈曲可能に可撓性又は弾性を持ち、軸線方向の所望の長さ位置で切断可能とされ、
前記外装部材が、前記芯材と共に切断されるように当該芯材の周囲に螺旋状に巻き付けられ、巻き付けられることで互いが接触する接触面間に髪の毛を挟んで保持するための弾
性力を備えており、
一般利用者に販売するのに対して、製品として長いまま略Ｕ字状等に屈曲、或いは、渦巻き状に巻き取って梱包販売されて、文具用品で利用者が切断する構成としたことを特徴とするカーラー。
【請求項２】
髪の毛にカール癖をつけるためのカーラーであって、
長尺棒状に形成され、少なくとも外周が弾性力を持つ材質とされ、長尺方向の所望の位置で切断可能であり、
基本形状に対して長尺方向に沿った軸線に対して、ねじり、曲げ、引っ張り、縮めの少なくとも１つを含む変形が可能であり、その変形に対しては、変形した状態が維持される、或いは自身が持つ弾性力で前記基本形状に復帰されると共に、
柱状に成形したスポンジの外周には、軸芯に向けて螺旋状に軸芯に到達しない所定の深さの切り込みを入れることで、カール癖をつける髪の毛を収容する溝が設けられ、
この溝に収容された髪の毛は、カーラー自身が持つ弾性力で溝内に保持され、かつ前記溝の底部は、雫状の空間が形成されるように拡径され、束になった髪の毛を保持すると共に、
一般利用者に販売するのに対して、製品として長いまま略Ｕ字状等に屈曲させたり、渦巻き状に巻き取って梱包販売し、文具用品で利用者が切断する構成としたことを特徴とするカーラー。
【請求項３】
髪の毛にカール癖をつけるためのカーラーであって、
柱状に成形したスポンジの外周には、軸芯に向けて螺旋状に軸芯に到達しない所定の深さの切り込みを入れることで溝を形成し、当該溝の底部を雫状の空間が形成されるように拡径され、
一般利用者に販売するのに対して、製品として長いまま略Ｕ字状等に屈曲させたり、渦巻き状に巻き取って梱包販売し、文具用品で利用者が切断する構成としたことを特徴とするカーラー。
【発明の詳細な説明】
【技術分野】
【０００１】
本発明は、髪の毛を巻き付けた状態で、自然、或いは加温、加湿しながら保持することで、所望の巻き癖をつけるためのカーラーに関するものである。
【背景技術】
【０００２】
従来、カーラーは、髪の毛を巻きけるロッド本体と、巻き付けた髪の毛を保持するクリップと、で構成されており、硬質の合成樹脂を細く成形して弾力性を持たせた構造となっている。また、近年では、クリップの代わりにテープによってロッド本体に巻き付けた髪の毛を保持することも考えられている。
【０００３】
なお、先行技術として、髪の毛をカール状にセットするのに用いるヘアーカーラーの髪止め具の構成において、容易に外れることがなく、かつ、簡単に髪の毛を巻き付けたロッドに装着できる取扱い易いヘアーカーラーの髪止め具が提案されている（特許文献１参照）。
この特許文献１では、ヘアーカーラーの外周面に沿った形状を有する二分割されたフレームにて構成し、該両フレームの上端中央部にツマミを立設し、該ツマミの基部に回動軸を軸架し、該回動軸にバネを介装して前記両フレームの下端側を閉鎖位置に付勢し、前記回動軸を支点として両フレームの下端側を開閉可能とするとともに、前記両フレームを枠、縦桟及び横桟からなる格子状とし、前記縦桟を波形形状とし、その交差部分の裏面側に突起を突設した構造となっている。
【０００４】
【特許文献１】特開平８−１８２５３０号公報
【発明の開示】
【発明が解決しようとする課題】
【０００５】
しかしながら、上記特許文献１では、クリップに関して、複数の合成樹脂成形品を組み立てて完成させる必要があり、部品点数が多いという問題がある。また、合成樹脂成形品であるため、その軸線方向の長さ（髪の毛の巻き付け幅）が、製造者側に委ねられており、利用者は所望の長さに近いものを選択して購入しなければならない。
【０００６】
また、従来のカーラーは、基本的に硬質の外周に利用者の判断で巻き方を決めている。このため、所謂縦ロールを市販のカーラーで実現させるためには、様々な工夫が必要であり、所望の縦ロール状のカール癖を容易につけることができないという問題があった。
【０００７】
本発明は上記事実を考慮し、髪の毛を巻き付けるためのロッド本体、巻き付け状態を保持するクリップ等の区別がなく、単品でロッド本体とクリップの機能を併せ持つことができるカーラーを得ることが目的である。
【０００８】
また、上記目的に加え、利用者の所望の巻き付け幅とすることができるカーラーを得ることが目的である。
【０００９】
さらに、上記目的に加え、髪の毛の装着することで、自身の弾性力で溝に収容した髪の毛を保持可能であり、螺旋状に髪の毛収容溝が形成されているので、自重により螺旋の軸線が自重方向となり、縦ロール状にカール癖をつけることができるカーラーを得ることが目的である。
【課題を解決するための手段】
【００１０】
請求項１に記載の発明は、所定の形状に屈曲可能に可撓性又は弾性を持つ芯材と、前記芯材の周囲に螺旋状に緊密に巻き付けられ、巻き付けられることで互いが接触する接触面間に髪の毛を挟んで保持するための弾性力を備えた外装部材とを有し、前記芯材が、所定の形状に屈曲可能に可撓性又は弾性を持ち、軸線方向の所望の長さ位置で切断可能とされ、前記外装部材が、前記芯材と共に切断されるように当該芯材の周囲に螺旋状に巻き付けられ、巻き付けられることで互いが接触する接触面間に髪の毛を挟んで保持するための弾性力を備えており、一般利用者に販売するのに対して、製品として長いまま略Ｕ字状等に屈曲、或いは、渦巻き状に巻き取って梱包販売されて、文具用品で利用者が切断する構成としたことを特徴としている。
【００１１】
請求項１記載の発明によれば、外装部材が髪の毛を巻き付ける基準となり、螺旋状に巻き付けたときにできる隙間（接触面間）が巻き付けた髪の毛を巻き付け状態で保持する所謂クリップの役目を有するため、単一の部材でロッド機能とクリップ機能を両立することができる。
【００１３】
芯材及び外装部材共に切断可能であり、利用者が所望する髪の毛の巻き付け幅に応じて、自由に切断して使用できるため、利用者の利用の際の自由度を高め、かつ製造側からすれば汎用性を高める、すなわち、様々なサイズに合わせて生産する必要がなくなる。
【００１５】
外装部材を弾性部材、例えばスポンジで形成することで、装着したまま就寝してもカーラー自身が変形し、頭部への衝撃を緩和することができる。
【００１８】
請求項２に記載の発明は、髪の毛にカール癖をつけるためのカーラーであって、長尺棒状に形成され、少なくとも外周が弾性力を持つ材質とされ、長尺方向の所望の位置で切断可能であり、基本形状に対して長尺方向に沿った軸線に対して、ねじり、曲げ、引っ張り、縮めの少なくとも１つを含む変形が可能であり、その変形に対しては、変形した状態が維持される、或いは自身が持つ弾性力で前記基本形状に復帰されると共に、柱状に成形したスポンジの外周には、軸芯に向けて螺旋状に軸芯に到達しない所定の深さの切り込みを入れることで、カール癖をつける髪の毛を収容する溝が設けられ、この溝に収容された髪の毛は、カーラー自身が持つ弾性力で溝内に保持され、かつ前記溝の底部は、雫状の空間が形成されるように拡径され、束になった髪の毛を保持すると共に、一般利用者に販売するのに対して、製品として長いまま略Ｕ字状等に屈曲、或いは、渦巻き状に巻き取って梱包販売されて、文具用品で利用者が切断する構成としたことを特徴としている。
【００１９】
請求項２に記載の発明によれば、軟らかく、自由自在に変形でき、螺旋状の溝に収容した髪の毛を自身の弾性力で保持できるため、装着が容易であり、溝によって利用者間の巻き方の不均一を解消することができる。
【００２１】
溝の底部が拡径されているため、巻かれる髪の毛の束の収容スペースとすることができる。
【００２２】
請求項３に記載の発明は、髪の毛にカール癖をつけるためのカーラーであって、
柱状に成形したスポンジの外周には、軸芯に向けて螺旋状に軸芯に到達しない所定の深さの切り込みを入れることで溝を形成し、当該溝の底部を雫状の空間が形成されるように拡径され、一般利用者に販売するのに対して、製品として長いまま略Ｕ字状等に屈曲、或いは、渦巻き状に巻き取って梱包販売されて、文具用品で利用者が切断する構成としたことを特徴としている。
【００２３】
請求項３に記載の発明によれば、単一材質で全てを構成することができる。
【００２４】
本発明の実施態様として、外装部材は、基本的には、硬質の合成樹脂であってもよいが、例えば、スポンジ等の弾性部材で構成することで、本発明のカーラーをセットしたまま寝ても、違和感がない。
【００２５】
また、髪の毛のカール癖は、基本的には円形であるため、カール癖の結果が円形カール癖となるようにするために、芯材を円形状とすればよい。
【００２６】
なお、言い換えれば、円形以外のカール癖を望む利用者に関しては、形状の異なる芯材で構成してもよい。
【００２７】
さらに、外装部材として保温機能又は保湿機能を備えるようにすれば、所謂ホットカーラーとしての役目を持たせることができる。
【００２８】
また、保温機能又は保湿機能を別部材で構成し、芯材に設けた中空部分に挿入することで、保温機能又は保湿機能が必要な利用者だけ利用できるという、汎用性をさらに高めることができる。
【発明の効果】
【００２９】
以上説明した如く本発明によれば、髪の毛を巻き付けるためのロッド本体、巻き付け状態を保持するクリップ等の区別がなく、単品でロッド本体とクリップの機能を併せ持つことができるという優れた効果を有する。
【００３０】
また、上記効果に加え、利用者の所望の巻き付け幅とすることができる。
【００３１】
さらに、上記効果に加え、髪の毛の装着することで、自身の弾性力で溝に収容した髪の毛を保持可能であり、螺旋状に髪の毛収容溝が形成されているので、自重により螺旋の軸線が自重方向となり、縦ロール状にカール癖をつけることができる。
【発明を実施するための最良の形態】
【００３２】
（第１の実施の形態）
図１乃至図３には、第１の実施の形態のカーラー１０が示されている。カーラー１０は、髪の毛に巻き付けて保持し、巻き癖をつけるための道具として適用される。
【００３３】
カーラー１０に必要な機能は、髪の毛を巻き付ける土台としてのベース機能と、巻き付けた髪の毛を巻き付け状態で保持するクリップ機能である。
【００３４】
これらの機能は、それぞれ別々の部材を使って構成するのが一般的である。これに対して第１の実施の形態では、単一のモジュール（実質的に一体物）に上記２種類の機能（ベース機能とクリップ機能）を持たせる構成とした。
【００３５】
図１に示される如く、第１の実施の形態に係るカーラー１０は、合成樹脂製の線材を所定の方式で編み込むことで形成された筒状の芯材１２と、この芯材１２の周囲に螺旋状に巻き付けられた長尺状の外装部材としてのスポンジ部材１４とを備えている。
【００３６】
これらは、後述する組み立て手順によって、一体化（モジュール化）されて製品となっている。
【００３７】
芯材１２は、可撓性を有しており、外から力を加えて屈曲させると、抵抗なく屈曲すると共に、時間経過と共にほぼ直線状態まで復帰するようになっている。なお、復帰は必須ではなく、可塑性（曲げた後の状態を維持する性質）でもよい。
【００３８】
芯材１２は、前述のように合成樹脂製の線材であるため、通常の文具用品の範疇であるハサミ１６（図２参照）によって容易に切断できるようになっている。なお、第１の実施の形態において、容易に切断できるかできないかの境界は、カーラー１０自体が日常の家庭内で使用するものと仮定すれば、家庭内に基本的に常備されているハサミやカッター等で利用者が簡単に切断できるかできないかで判断している。
【００３９】
一方、スポンジ部材１４は、弾性力を有しており、髪の毛１８（図３参照）を巻き付ける所謂土台（ベース機能）となる。
【００４０】
図１に示される如く、スポンジ部材１４は、芯材１２に螺旋状に緊密に巻き付けられている。このとき、巻き付けられたスポンジ部材１４の見掛け上の各ブロック層１４Ａは、互いに所定の弾性変形をもって接触するようにしている。従って、この接触面間の溝Ｇ（以下、「溝Ｇ」という）に入る髪の毛１８はスポンジ部材１４の弾性力で保持されることになる（図３参照）。すなわち、この溝Ｇは、カーラー１０のクリップ機能となる。
【００４１】
さらに、第１の実施の形態のカーラー１０は、外形がスポンジ部材で覆われるため、例えば、図４（Ａ）に示されるストレートな髪の毛の利用者２０が、カーラー１０を髪の毛１８に取り付けたまま就寝しても（図４（Ｂ）参照）、頭部にダメージを与えるようなことはなく、例えば、比較的変形の少ない枕２２と頭部２０Ｈとに挟まれたとしても、スポンジ部材１４が弾性変形して、起床するまで（図４（Ｃ）参照）、頭部２２Ｈへの衝撃を抑制することができるようになっている。なお、芯材１２も比較的軟質であるため、同時に変形する。
【００４２】
ところで、このカーラー１０は、図４（Ｂ）等で示されるような使用状態に適した複数種類の長さで販売してもよいが、基本的には、長尺状態で販売されるようになっている。例えば、製品として販売する場合の長さとしては２０ｃｍ〜１００ｃｍ程度が好ましいが、この長さは限定されるものではない。このとき、芯材１２が可撓性を有しているので、製品として梱包するとき、Ｕ字状に屈曲させたり、渦巻き状に巻き取って収容することも可能である。
【００４３】
第１の実施の形態に係るカーラー１０を購入した利用者２０は、利用者２０自身の所望の長さに基づいて、ハサミ１６（図２参照）を使って切断することができる。すなわち、髪の毛を多く巻きたい利用者は、比較的長めに切断し、髪の毛を少なく巻きたい利用者は、比較的短めに切断すればよい。切断は、螺旋状巻き付け時の各ブロック層１４Ａの数で言えば、少なくとも２ブロックは必要となる。
【００４４】
また、スポンジ部材１４の材質は、ウレタンフォームが一般的であるが、これに限られず、シリコン、ゴム、ナイロン不織布、セルロース、メラミンフォーム等が適用可能である。なお、材質を選択する場合、中性洗剤で容易に洗浄できることが好ましい。また、後述するが、第１の実施の形態のカーラー１０は、主として髪の毛に所謂縦ロールのカール癖をつける目的があり、そのカール癖（結果の形状）のためには、カーラー１０自身の重量も重要な要素となって材質が選択されることが望ましい。
【００４５】
第１の実施の形態のカーラー１０は、基本的に縦ロール用として利用される。縦ロールとは、図４（Ｃ）に示される如く、カール癖が螺旋状で、基本的にこの螺旋の軸線が自重方向（利用者が起立しているときの縦方向）となり、かつ毛先の向きが不規則となるカール癖であり、通称「名古屋巻き」とも言われるものである。なお、図４（Ｃ）のカール癖は一例であり、この形に限定されるものではない。
【００４６】
一般的なカーラーでは、このような縦ロールカール癖は、利用者が様々な工夫をしないと実現できない構造となっている。これに対して、第１の実施の形態のカーラー１０は、予め螺旋状に溝Ｇが形成されているため、利用者は単純に溝Ｇに沿って髪の毛を巻いていけばよい。巻いた後は、カーラー１０（及び髪の毛）の自重によって、カーラー１０の軸線が起立した利用者２０の縦方向となり（就寝時は横方向）、所定時間経過後には、所望の縦ロールのカール癖をつけることが可能となる。
【００４７】
以下に第１の実施の形態の作用を説明する。
【００４８】
まず、図１に従い第１の実施の形態のカーラー１０の製造手順を説明する。
【００４９】
図１（Ａ）に示される如く、芯材１２を準備する。芯材１２は、合成樹脂製の線材を編み込んで円筒状に形成する。円筒状とすることで、この中空部分に保温機能又は保湿機能を持つ部材を挿入したり、所定の湿度を持つ温風を軸方向に流すことで、カーリング効果を高めることが可能である。
【００５０】
なお、円筒状にすることはカーリングそのものに必須ではないので、円柱であってもよい。
【００５１】
芯材１２を準備した後は、長尺のスポンジ部材１４を芯材１２の軸線方向一端部から螺旋状に巻き付けていく。この螺旋状の巻き付けによって、見掛け上、複数のブロック層が積み重ねられたようになる。
【００５２】
ところで、この巻き付け時、緊密に巻き付けられ、各ブロック層が互いに所定の圧力で接触させるようにする。
【００５３】
芯材１２の一端から他端まで巻き付けると、図１（Ｂ）に示される如く、芯材１２を軸としたほぼ直線かつ長尺のカーラー１０が完成する。
【００５４】
ここで、この長尺のカーラー１０を購入した利用者２０は、自身の所望の長さに切断することができる。すなわち、利用者２０には、多くの髪の毛１８を巻きたい者、或いは少ない髪の毛１８を巻きたい者、或いは、同一の利用者２０であっても、その両方を利用したい場合がある。
【００５５】
この場合、従来は、それぞれの用途に適合したサイズのカーラーを購入せざるを得なかった。しかし、第１の実施の形態では、図２に示される如く、文具用品の範疇に入る通常のハサミ１６を用いて、利用者２０が所望する長さに簡単に切断することができるため、汎用性があり、使い勝手がよい。
【００５６】
なお、この切断の際、クリップ機能を持つ溝Ｇが必要であるため、少なくとも巻き付けたスポンジ部材１４の２ブロック以上が必要となる。
【００５７】
ここで、図３に示される如く、髪の毛１８は、スポンジ部材１４の外周に巻き付けられると共に、その先端部が前記ブロック層１４Ａ間の緊密に接触した溝Ｇに挟み込まれる。
【００５８】
この挟み込みの際、スポンジ部材１４が弾性変形するため、髪の毛１８は容易に溝Ｇに挿入される。
【００５９】
また、溝Ｇに挿入された髪の毛１８は、スポンジ部材１４の弾性力によって緊密な溝Ｇに保持される。
【００６０】
溝Ｇに入れる髪の毛の量を調整することで、カーリングの曲率半径を利用者２０に委ねることができるため、カーリングの自由度を増すことができる。
【００６１】
図４（Ａ）はストレートな髪の毛１８の利用者２０である。このような利用者２０が、縦ロールのカール癖をつけるべく、所定長さに切断したカーラー１０を用いて、髪の毛を巻き付けていく。
【００６２】
巻き付けが終了すると、カーラー１０（及び髪の毛）は、自重により、カーラー１０の軸線が、利用者２０が起立した状態で縦方向となる。このため、所定時間経過後は、縦方向に螺旋状、かつ毛先が不規則な方向に向いた、縦ロールのカール癖をつけることができる（図４（Ｃ）参照）。
【００６３】
なお、第１の実施の形態のカーラー１０を適宜取り付け、図４（Ｂ）に示される如く、このカーラー１０を取り付けたまま就寝した場合、従来のカーラー１０は、硬質の合成樹脂製（例えば、プラスチック製）であったため、例えば、比較的変形の少ない枕２２であった場合、当該枕２２と頭部２０Ｈとにカーラー１０が挟まれることがある。このとき、第１の実施の形態のカーラー１０では、スポンジ部材１４が弾性変形するため、頭部２０Ｈへの衝撃を抑制することができる。このため、利用者２０が起床したときは（図４（Ｃ）参照）、頭部２０Ｈへの衝撃はなく、かつ確実に縦ロールのカール癖をつけることができる。
【００６４】
また、第１の実施の形態のカーラー１０では、一般的なカーラーでは、実現しにくかった縦ロールカール癖を、利用者は、予め螺旋状に形成された溝Ｇに単純に髪の毛を巻いていけば、容易に縦ロール状のカール癖を得ることができる。
【００６５】
以上説明したように第１の実施の形態では、合成樹脂製の線材を編み込んで円筒状の芯材１２を形成し、この芯材１２の周りにスポンジ部材１４を螺旋状に巻き付けることで、見掛け上積み重ねられるブロック層間の溝Ｇを緊密にしたため、スポンジ部材の外周が従来のカーラーのロッドとしてベース機能となり、溝Ｇが従来のカーラーのクリップ機能となるため、単一の部材でカーラー１０を構成することができる。
【００６６】
また、カーラー１０の長さを予め特定する必要がなく、利用者２０が自由に切断して使用することができるため、利用者２０からみれば自由度が高まり、製造側からみれば汎用性を向上（所謂、歩留まり向上）させることができる。
【００６７】
なお、第１の実施の形態のスポンジ部材１４は、弾性力を有する材質としたが、さらに、保温機能、保湿機能を持たせることができる材質があれば、カーリング自体の機能をさらに高めることができる。
【００６８】
例えば、連続気泡のスポンジであれば、水分をある程度しみこませておくことができ、独立気泡のスポンジであれば、空気の対流により加温処理した後の温度を長時間維持することができる。
【００６９】
気泡の大きさが小さい方が、汚れを吸収しにくくなり、洗浄性がよく、再利用も可能となる。
【００７０】
なお、第１の実施の形態では、芯材１２に対して、外装部材としての細長板状のスポンジ部材１４を螺旋状に緊密に巻いた構造としたが、スポンジ部材を二層構造としたり、二層構造と同一の形状に一体成形させたものを用いることで、溝Ｇに沿って巻き取った髪の毛を収容するスペースを形成するようにしてもよい。
【００７１】
すなわち、図５に示される如く、芯材１２にまず、相対的に細幅板状の第１のスポンジ部材１４Ａを所定の間隔をおいて、螺旋状に巻き付ける。次に、この第１のスポンジ部材１４Ａよりも幅寸法が大きい第２のスポンジ部材１４Ｂを第１のスポンジ１４Ａの上から螺旋状、かつ緊密に巻き付ける。なお、第１のスポンジ部材１４Ａと第２のスポンジ部材１４Ｂとを予め接着剤等で貼り付けておいて、一度に芯材１２に巻き付けるようにしてもよい。
【００７２】
この結果、溝Ｇの底部、芯材１２に近い領域に空間Ｓが形成され、溝Ｇに沿って巻き付けた髪の毛の束を収容することができる。もちろん、外装部材の材質がスポンジであるので、空間Ｓがなくても髪の毛の束を収容することができるが、空間Ｓがあったほうが、装着時の感触が明確になり、巻き付け易くなる。また、第１のスポンジ１４Ａ及び第２のスポンジ１４Ｂに無理な変形が生じない。
【００７３】
（第２の実施の形態）
以下に本発明の第２の実施の形態について説明する。この第２の実施の形態において、第１の実施の形態と同一構成部分については同一の符号を付して、その構成の説明を省略する。
【００７４】
図６（Ａ）及び（Ｂ）に示される如く、第２の実施の形態の特徴は、カーラー５０を単一の材料（材質）で形成した点にある。この材質は、第２の実施の形態では、スポンジを適用した。
【００７５】
図６に示される如く、完成品のカーラー５０は、円柱状であり、螺旋状に溝Ｇが形成され、この溝Ｇによってカーラー５０は、見掛け上複数のブロック層５０Ａに分けられている。
【００７６】
前記溝Ｇの底部は軸芯まで至っておらず、その底部には、雫状の空間Ｓが形成されている。このようなカーラー５０は、円柱状に生成されたスポンジを加工して形成してもよいし、当該スポンジを生成するときに予め溝Ｇと空間Ｓとができるように、型を作成してもよい。
【００７７】
この第２の実施の形態のカーラー５０においては、髪の毛を螺旋状の溝Ｇに巻き付けて、手を放すと、カーラー５０の軸線が、髪の毛の重みで起立した利用者の立設方向、すなわち縦方向となり、この状態でカール癖がつくため、所謂縦ロールが容易に実現できる。なお、利用者が就寝した状態でも、利用者の背丈方向に沿っているため、縦ロールが可能である。
【００７８】
この第２の実施の形態のカーラー５０においては、製品性能として軸線方向の長さに制限はなく、梱包性や販売促進性の面から考えればよい。すなわち、例えば、２０ｃｍ〜１００ｃｍ前後の長さで販売し、利用者が自身の好みの長さに切断して利用すればよい。なお、販売時の長さに制限はない。
【００７９】
第２の実施の形態によれば、材料が単一であるため、製品とするまでの作業工程数を少なくすることができ、コストを軽減することができる。適用する材料は、単純にスポンジとしたが、スポンジにもその気泡の密度や原料等によって様々な種類が存在するため、利用者のアンケート等を参考として、適宜変更していくことが望ましい。
【００８０】
なお、この第２の実施の形態では、単一の材質でカーラー５０本来の機能を持たせることができるが、例えば、カーラー５０の形状を変形させるために、予め軸線状に貫通孔を設けておき、針金等の軸線（軸棒）をあとで挿入できるようにしもよい。
【図面の簡単な説明】
【００８１】
【図１】（Ａ）は第１の実施の形態に係るカーラーの製造過程を示す斜視図、（Ｂ）は製造後の断面図である。
【図２】第１の実施の形態に係り、製品としてのカーラーを利用者が所望の長さに切断する状況を示す斜視図である。
【図３】第１の実施の形態に係り、（Ａ）はスポンジ部材のブロック層間に挟まれる髪の毛の状態を示す正面図、（Ｂ）は図３（Ａ）のＩＩＩＢ−ＩＩＩＢ線断面図である。
【図４】第１の実施の形態に係り、利用者による利用形態の一例を示し、（Ａ）はカーラー使用前、（Ｂ）はカーラー取り付け状態での就寝、（Ｃ）はカーラー使用後を示す説明図である。
【図５】第２の実施の形態に係るカーラーの外観図である。
【図６】第２の実施の形態に係るカーラーの軸線方向にカットしたときの断面図である。
【符号の説明】
【００８２】
１０、５０    カーラー
１２    芯材
１４    スポンジ部材（外装部材）
１４Ａ、５０Ａ    ブロック層
１６    ハサミ
１８    髪の毛
２０    利用者
２０Ｈ    頭部
２２  枕
Ｇ    溝
Ｓ    空間
【要約】
【課題】髪の毛を巻き付けるためのロッド本体、巻き付け状態を保持するクリップ等の区別がなく、単品でロッド本体とクリップの機能を併せ持ち、かつ、利用者の所望の巻き付け幅とし、容易に縦ロール状にカール癖をつける。
【解決手段】スポンジ部材１４を螺旋状に巻き付けて、見掛け上積み重ねられるブロック層間の溝Ｇを緊密にしたため、スポンジ部材１４の外周が従来のカーラーのロッドとしてベース機能となり、溝Ｇが従来のカーラーのクリップ機能となるため、単一の部材でカーラー１０を構成することができる。カーラー１０の長さを予め特定する必要がなく、利用者２０が自由に切断して使用することができる。一般的なカーラーでは、実現しにくかった縦ロールカール癖を、利用者は、予め螺旋状に形成された溝Ｇに単純に髪の毛を巻いていけば、容易に縦ロール状のカール癖を得ることができる。
【選択図】図１【図１】
0004191780.tif 000002
【図２】
0004191780.tif 000003
【図３】
0004191780.tif 000004
【図４】
0004191780.tif 000005
【図５】
0004191780.tif 000006
【図６】
0004191780.tif 000007